(57)【特許請求の範囲】
【請求項１】
米ぬかを主材とし、これにもみ殻、油粕、きび粉又は海藻から選択した植物蛋白を主とする有機素材と、珪藻土、貝化石、パーライト、糖蜜及び植物又は海藻からとった酵素とを加えた基材料に、セルローズ分解菌、窒素固定菌、加水分解菌及び硝酸還元菌並びに、水を加えて２０℃〜３０℃で３時間静置し、ついで天然塩、にがり、天然緑汁の混合物を前記基材料の３％〜５％加えて混合し、前記混合物を１日１回切り返して、５日〜１０日続けて当初の処理材を作り、ついで前記処理材にその４倍量の有機素材を混入し、１日１回切り返して、４日〜５日経過して第２回目の処理材とし、ついで前記第２回目の処理材と等量の有機素材を混入し、１日１回切り返して、３日〜４日経過した後、１０日〜１４日放置することを特徴とした有機微生物処理材の製造方法。
【発明の詳細な説明】
【技術分野】
【０００１】
この発明は、植物の活性化を図り、耐病性の向上及び成長ホルモンの生成促進を図るために使用することを目的とした有機微生物処理材の製造方法に関する。
【背景技術】
【０００２】
従来家畜の糞尿と有機材料とを混合して堆肥を作ったり、家畜の糞尿に油脂を混合し、好気性菌により発酵させる方法も知られていた。前記堆肥などは耕地を改善し、よって植物の生育に効果を奏することが知られていた。
【０００３】
また、土壌から分離した微生物により植物を活性化する発明も開示されている。
【特許文献１】特許第３０４６１６７号
【特許文献２】特許第２８５２１９３号
【発明の開示】
【発明が解決しようとする課題】
【０００４】
前記従来開示されている発明中土壌菌を直接使用する技術は、微生物の特性を直接利用して植物を活性化するもので、多大の効果をあげているが、有機物の分解物による効果ではないので、土壌改良により植物の活性化を進める技術とは異なる。
【０００５】
また前記茶葉の品質改良方法の発明は、茶実油粕微粉末と、サポニンを用いる品質改良方法であって植物の活性化方法とは異なる。
【０００６】
次に従来行われている堆肥を作る方法は、土壌改良について多大の貢献があり、盛んに利用されているが、有効な堆肥を比較的短時間で少労力で生成することが難しく、かつ堆肥中に含まれた有機物の効果を十分発揮することが難しい問題点があった。
【課題を解決するための手段】
【０００７】
この発明は、土壌中から選別した複数種の好気性菌と、米ぬかを主材料とする各種有機材料とを混合し、十分の酸素を供給して短時間に発酵させ、少量の種発酵材から同一効果のある多量の有機処理材を得ることに成功したのである。
【０００８】
即ちこの発明によれば、好気性微生物と、米ぬかを主材とし、これに有機素材と補助材とを加えた基材料と、水とを加えて均一に撹拌し、通気状態のもとに、前記好気性微生物を繁殖させたことを特徴とする有機微生物処理材の製造方法であり、前記方法により製造した有機微生物処理材に、その数倍の有機素材を混合し、この混合物を１日１回切り返して４日〜７日後、更に前記混合物と等量の有機素材を混合し、水分５０％〜６０％で、１日１回切り返して、３日〜４日経過後、１０日〜２０日放置することを特徴とした有機微生物処理材の製造方法である。
【０００９】
また他の発明は、好気性微生物は、少なくともセルローズ分解菌のＰＳＥＵＤＯＭＯＮＡＤＡＣＥＡＥ、窒素固定菌のＡＺＯＴＯＢＡＣＴＥＲＡＣＥＡＥ、加水分解菌のＲＨＩＺＯＢＩＡＣＥＡＥ及び硝酸還元菌のＮＩＴＲＯＢＡＣＴＥＲＡＣＥＡＥを含むものであり、有機素材は、もみ殻、そば殻、油粕、きび粉、海藻などから選択し、植物蛋白を主とする基材料である。この基材料は、地元の有機素材を生かして使用する。
【００１０】
更に他の発明は、補助材は、珪藻土、貝化石、パーライト、糖蜜及び植物又は海藻からとった酵素（天恵緑汁）とするものであり、前記により製造した有機微生物処理材を３００ｇ〜４００ｇ／ｍ２散布し、これを土中にすき込むことを特徴とした有機微生物処理材の使用方法である。
【００１１】
前記における微生物は必須の微生物であり、この他に、ＳＰＩＲＯＣＨＡＥＴＡＣＥＡＥ（硫化水素を含有する水、泥及び泥水中に生息分解する能力あり）、ＭＩＣＲＯＣＯＣＣＡＣＥＡＥ（代謝又は酸化分解）、ＳＴＲＥＰＴＯＭＹＣＥＴＡＣＥＡＥ（発酵分解及びグルコースを発酵させる能力あり）、ＭＩＣＲＯＢＡＣＴＥＲＩＵＭ（酸化発酵）、ＮＯＲＣＡＲＤＩＡ（分解促進発酵）、ＡＥＲＯＢＡＣＴＥＲ（物質の代謝分解に遊離の酵素を必須とする生物）及びＭＥＴＨＡＮＯＭＯＮＡＳ（エネルギー源としてメタノール、メタン等を分解）がある。
【００１２】
前記請求項記載の必須細菌と、前記各細菌とにおいて、前記細菌毎に内容を調査し、必要と認めたときには、これを加入する。その加入方法は自由であるが、細菌を加入して特質の向上を図っている。また、前記微生物は相互に親和性があって、阻害要因は認められないので、混合割合などの制約はない。
【発明の効果】
【００１３】
この発明の微生物処理材を耕地に散布すると、植物の罹病し易い炭素病、うどんこ病、赤錆病、フザリュウム病、線虫、根ぐされ病、かび菌などの殺菌にも有効であるのみならず、植物に活性を与え、毛根の発達を促進し、丈夫な植物を育成するので、結果的に増収する効果がある。
【００１４】
この発明で製造した微生物処理材を使用すれば、例えば水稲は３０％〜４０％の増収になるのみならず、味も良好になる効果がある。
【発明を実施するための最良の形態】
【００１５】
この発明は、ＳＰＩＲＯＣＨＡＥＴＡＣＥＡＥ、ＰＳＥＵＤＯＭＯＮＡＤＡＣＥＡＥ、ＡＺＯＴＯＢＡＣＴＥＲＡＣＥＡＥ、ＲＨＩＺＯＢＩＡＣＥＡＥ、ＮＩＴＲＯＢＡＣＴＥＲＡＣＥＡＥ、ＭＩＣＲＯＣＯＣＣＡＣＥＡＥ、ＳＴＲＥＰＴＯＭＹＣＥＴＡＣＥＡＥ、ＭＩＣＲＯＢＡＣＴＥＲＩＵＭ、ＮＯＲＣＡＲＤＩＡ、ＡＥＲＯＢＡＣＴＥＲ、ＭＥＴＨＡＮＯＭＯＮＡＳの好気性微生物と、米ぬかを主材とし、これにもみ殻、そば殻、油粕、きび粉、海藻などの中から適宜選定した植物蛋白を中心とした基材料を混合し、これに珪藻土、貝化石、ゼオライト、糖蜜、天恵緑汁の中から適宜選定した補助材を加えると共に、水分調整（５０％〜６０％の水分にする）した混合物とする。
【００１６】
前記混合物を１日１回切り返し、酸素を均等に供給する。この混合物は当初２〜３日で３０℃から５０℃〜６０℃となり、１０日位で温度が３０℃位になって完成する。
【実施例１】
【００１７】
この発明の実施例を説明すると、米ぬか４５０ｋｇ、大豆かす４０ｋｇ、そば殻１００ｋｇをよくかき混ぜて基材料とし、これに好気性菌（ＳＰＩＲＯＣＨＡＥＴＡＣＥＡＥ、ＰＳＥＵＤＯＭＯＮＡＤＡＣＥＡＥ、ＡＺＯＴＯＢＡＣＴＥＲＡＣＥＡＥ、ＲＨＩＺＯＢＩＡＣＥＡＥ、ＮＩＴＲＯＢＡＣＴＥＲＡＣＥＡＥ、ＭＩＣＲＯＣＯＣＣＡＣＥＡＥ、ＳＴＲＥＰＴＯＭＹＣＥＴＡＣＥＡＥ、ＭＩＣＲＯＢＡＣＴＥＲＩＵＭ、ＮＯＲＣＡＲＤＩＡ、ＡＥＲＯＢＡＣＴＥＲ、ＭＥＴＨＡＮＯＭＯＮＡＳ）１リットル（菌数１ｃｍ３当たり１０７以上）を４００〜４５０リットルの水で薄めて入れる。この場合に水温は２０℃〜３０℃で３時間静置する。
【００１８】
前記混合物に、天然塩、にがり、天然緑汁（よもぎ、ワカメ、たけのこ、熊笹などにある酵素）を、前記素材の３％〜５％（例えば２０ｋｇ）加入する。この場合に混合物は１日１回切り返すと、２〜３日で３０℃から５０℃〜６０℃となるが、１０日間で温度が３０℃位に落ち着くので、この発明の微生物処理材ほぼ１０００ｋｇが完成する。
【００１９】
前記製造物に、４０００ｋｇの有機素材を混合し、１日１回切り返し、４日〜５日経過したならば、更に５０００ｋｇの有機素材を混合する。そこで１日１回切り返し、３日〜４日経過したならば、そのまま１０日〜１４日放置すれば、１００００ｋｇの微生物処理材が完成する。
【００２０】
前記微生物処理材は、通常３００ｇ〜４００ｇ／１ｍ２散布するが、耕地の状況に応じ２０％〜５０％増減することができる。
【００２１】
前記実施例における有機素材は、最も入手し易い物（地元の有機素材を生かす）を使用する。前記好気性微生物は、毛根付近に菌が繁殖し、植物を丈夫にして、作物の成長ホルモンを促進させ、作物の根の表面についた病原菌や害虫を寄せ付けないようにする働きがある。
【００２２】
前記微生物は、当初ＰＨ６．０〜８．５で繁殖させるのが好ましい。温度は発酵によって６０℃位まで上昇するが、発酵終了と共に低下し、３０℃位になる。微生物には２０℃〜３５℃が最も良い温度であるが、−２０℃でも、７０℃以下でも活性がある。
【００２３】
微生物にとって農薬、除草剤、殺虫剤は悪いが、連作障害の排除、フザリュウム菌、線虫の分解、炭素病、ウドンコ病、赤錆病、灰色黴、根ぐされ病などの雑菌の防除には効果がある。また、硝酸態窒素の分解についても効果がある。